(57)【要約】【課題】画像再生装置とプリンタを直接接続して画像データを印刷する場合に、動画のワンシーンを抽出して印刷できるようにする。【解決手段】記録媒体に記録されている動画データ及び静止画像データに対応する小画像を表示装置に表示する第１表示制御部と、表示装置に表示されている小画像から画像を選択する第１の選択部と、第１の選択部により動画データに対応する小画像が選択された場合に、選択された動画データから、複数の抽出静止画を抽出する抽出部と、抽出部により抽出された複数の抽出静止画を表示装置に一覧表示させて、少なくとも１つの抽出静止画を選択する第２の選択部と、第１の選択部で選択された、静止画像データに対応する小画像と、第２の選択部で選択された抽出静止画とを表示装置に表示させる第２表示制御部とを有する。【選択図】図２
2007329684.tif 000002
【特許請求の範囲】
【請求項１】
記録媒体に記録されている動画データ及び静止画像データに対応する小画像を表示装置に表示する第１表示制御手段と、
前記表示装置に表示されている小画像から画像を選択する第１の選択手段と、
前記第１の選択手段により動画データに対応する前記小画像が選択された場合に、該選択された動画データから、複数の抽出静止画を抽出する抽出手段と、
前記抽出手段により抽出された複数の抽出静止画を前記表示装置に一覧表示させて、少なくとも１つの抽出静止画を選択する第２の選択手段と、
前記第１の選択手段で選択された、前記静止画像データに対応する小画像と、前記第２の選択手段で選択された前記抽出静止画とを前記表示装置に表示させる第２表示制御手段とを有することを特徴とする画像再生装置。
【請求項２】
さらに前記第１の選択手段で選択された小画像に対応する静止画像データ及び、前記第２の選択手段で選択された前記抽出静止画に対応する画像データを用いて印刷する印刷手段を有することを特徴とする請求項１に記載の画像再生装置。
【請求項３】
前記抽出手段は、定められたフレーム間隔で、前記動画データから複数の静止画を抽出することを特徴とする請求項１に記載の画像再生装置。
【請求項４】
前記転送手段は、前記第２の選択手段により選択された抽出静止画に対応する画像データに対応する日時情報を前記印刷装置に転送することを特徴とする請求項１に記載の画像再生装置。
【請求項５】
前記日時情報は、前記動画データに付加されている日時情報を用いて算出されることを特徴とする請求項１に記載の画像再生装置。
【請求項６】
前記第２表示制御手段は、印刷媒体上へのレイアウトを前記表示装置に表示することを特徴とする請求項１に記載の画像再生装置。
【請求項７】
記録媒体に記録されている動画データ及び静止画像データに対応する小画像を表示装置に表示する第１表示制御工程と、
前記表示装置に表示されている小画像から画像を選択する第１の選択工程と、
前記第１の選択工程により動画データに対応する前記小画像が選択された場合に、該選択された動画データから、複数の抽出静止画を抽出する抽出工程と、
前記抽出工程により抽出された複数の抽出静止画を前記表示装置に一覧表示させて、少なくとも１つの抽出静止画を選択する第２の選択工程と、
前記第１の選択工程で選択された前記静止画像データに対応する小画像と、前記第２の選択工程で選択された前記抽出静止画とを前記表示装置に表示させる第２表示制御工程とを有することを特徴とする画像再生方法。
【請求項８】
さらに前記第１の選択工程において選択された小画像に対応する静止画像データ及び、前記第２の選択工程において選択された前記抽出静止画に対応する画像データを用いて印刷する印刷工程を有することを特徴とする請求項７に記載の画像再生方法。
【請求項９】
請求項７又は８に記載の画像再生方法をコンピュータに実行させることを特徴とするプログラム。
【請求項１０】
請求項９に記載のプログラムを記憶したことを特徴とするコンピュータ読み取り可能な記憶媒体。
【請求項１１】
画像再生装置と印刷装置とを直接接続して構成される印刷システムであって、
前記画像再生装置は、
記録媒体に記録されている動画データ及び静止画像データに対応する小画像を表示装置に表示する第１表示制御手段と、
前記表示装置に表示されている小画像から画像を選択する第１の選択手段と、
前記第１の選択手段により動画データに対応する前記小画像が選択された場合に、該選択された動画データから、複数の抽出静止画を抽出する抽出手段と、
前記抽出手段により抽出された複数の抽出静止画を前記表示装置に一覧表示させて、少なくとも１つの抽出静止画を選択する第２の選択手段と、
前記第１の選択手段で選択された、前記静止画像データに対応する小画像と、前記第２の選択手段で選択された前記抽出静止画とを前記表示装置に表示させる第２表示制御手段とを有し、
前記印刷装置は、
前記画像再生装置から転送された静止画を受信する受信手段と、
前記受信手段により受信された静止画を、前記記録媒体内の画像データの少なくとも一部を記録した第２の記録媒体の表面に印刷する印刷手段とを有することを特徴とする印刷システム。
【発明の詳細な説明】
【技術分野】
【０００１】
本発明は、画像再生装置から出力される画像をプリンタにより印刷する場合の、画像を選択する技術に関するものである。
【背景技術】
【０００２】
従来、記録媒体に記録された画像データを光ディスクのレーベル面上に印刷させようとした場合、まずその画像データをコンピュータに転送する必要があった。そして、その後コンピュータに接続されたプリンタに対してコンピュータから印刷の指示を行うことにより印刷を行っていた（特許文献１参照）。そのため、画像再生装置とプリンタを直接接続し、画像再生装置からプリンタへ画像データを直接転送することができる印刷システムは、印刷作業の簡略化、装置のローコスト化という点で有用であった（特許文献２参照）。
【特許文献１】特開２００３−８０７６６号公報
【特許文献２】特開２００３−２１１７９３号公報
【発明の開示】
【発明が解決しようとする課題】
【０００３】
昨今ではメモリの大容量化が進み、デジタルカメラでモーションＪＰＥＧのようなデジタル動画を記録することが可能となり、それらのデジタル動画を光ディスク等の記録媒体に保存することが日常的となってきている。そのため、そのデジタル動画のワンシーンを使用した画像を記録媒体のレーベル面に印刷することが可能な印刷システムが要望されている。
【０００４】
しかしながら、上記の従来の画像再生装置とプリンタを直接接続する印刷システムでは、静止画データの印刷しか行えなかった。即ち、デジタル動画のワンシーンを使用したレーベル印刷を行うためには、一度コンピュータに動画データを転送して専用ソフト等で編集し、コンピュータに接続されているプリンタで印刷を行う必要があった。
【０００５】
従って、本発明は上述した課題に鑑みてなされたものであり、その目的は、画像再生装置とプリンタを直接接続して画像データを印刷する場合に、動画のワンシーンを抽出して印刷できるようにすることである。
【課題を解決するための手段】
【０００６】
上述した課題を解決し、目的を達成するために、本発明に係わる画像再生装置は、記録媒体から読み出された動画データのワンシーン又は静止画データを表示する表示手段と、前記表示手段に表示された動画データのワンシーン又は静止画データに基づいて、前記記録媒体中の複数の動画データ又は複数の静止画データから目的とする動画データ又は静止画データを選択する第１の選択手段と、前記第１の選択手段により選択された画像データが動画データであった場合に、該選択された動画データから、複数の静止画を抽出する抽出手段と、前記抽出手段により抽出された複数の静止画及び前記第１の選択手段により選択された静止画データを前記表示手段に一覧表示させる表示制御手段と、前記一覧表示された複数の静止画から少なくとも１つの静止画を選択する第２の選択手段と、前記第２の選択手段により選択された静止画を外部の印刷装置に転送する転送手段と、を具備することを特徴とする。
【０００７】
また、本発明に係わる画像再生方法は、記録媒体から読み出された動画データのワンシーン又は静止画データを表示する第１の表示工程と、前記第１の表示工程において表示された動画データのワンシーン又は静止画データに基づいて、前記記録媒体中の複数の動画データ又は複数の静止画データから目的とする動画データ又は静止画データを選択する第１の選択工程と、前記第１の選択工程において選択された画像データが動画データであった場合に、該選択された動画データから、複数の静止画を抽出する抽出工程と、前記抽出工程において抽出された複数の静止画及び前記第１の選択工程において選択された静止画データを一覧表示させる第２の表示工程と、前記一覧表示された複数の静止画から少なくとも１つの静止画を選択する第２の選択工程と、前記第２の選択工程において選択された静止画を外部の印刷装置に転送する転送工程と、を具備することを特徴とする。
【０００８】
また、本発明に係わるプログラムは、上記の画像再生方法をコンピュータに実行させることを特徴とする。
【０００９】
また、本発明に係わる記憶媒体は、上記のプログラムを記憶したことを特徴とする。
【００１０】
また、本発明に係わる印刷システムは、画像再生装置と印刷装置とを直接接続して構成される印刷システムであって、前記画像再生装置は、第１の記録媒体から読み出された動画データのワンシーン又は静止画データを表示する表示手段と、前記表示手段に表示された動画データのワンシーン又は静止画データに基づいて、前記第１の記録媒体中の複数の動画データ又は複数の静止画データから目的とする動画データ又は静止画データを選択する第１の選択手段と、前記第１の選択手段により選択された画像データが動画データであった場合に、該選択された動画データから、複数の静止画を抽出する抽出手段と、前記抽出手段により抽出された複数の静止画及び前記第１の選択手段により選択された静止画データを前記表示手段に一覧表示させる表示制御手段と、前記一覧表示された複数の静止画から少なくとも１つの静止画を選択する第２の選択手段と、前記第２の選択手段により選択された静止画を外部に転送する転送手段と、を備え、前記印刷装置は、前記画像再生装置から転送された静止画を受信する受信手段と、前記受信手段により受信された静止画を、前記第１の記録媒体内の画像データの少なくとも一部を記録した第２の記録媒体の表面に印刷する印刷手段と、を備えることを特徴とする。
【発明の効果】
【００１１】
本発明によれば、画像再生装置とプリンタを直接接続して画像データを印刷する場合に、動画のワンシーンを抽出して印刷することが可能となる。
【発明を実施するための最良の形態】
【００１２】
以下、本発明の好適な一実施形態について、添付図面を参照して詳細に説明する。
【００１３】
図１は、本発明の一実施形態に係わるデジタルカメラの概略構成を示すブロック図である。
【００１４】
図１において、１０４は、被写体像を映像信号に変換する撮像手段（カメラ部）である。
【００１５】
１０５は、カメラ部１０４で撮影された画像に対して現像、圧縮、展開、回転等の処理を行ったり、サムネイル作成等を行う画像処理部である。また、記録媒体１０７内に記録されている動画データからの静止画の抽出も行う。
【００１６】
１０６は、後述する表示部１０８に対する画像表示動作を制御する部分であり、後述する動作モード選択部１１０により選択された動作モードに応じた画像を表示するように制御する表示制御部である。
【００１７】
１０７は、カメラ部１０４で撮影された画像に対して画像処理部１０５によって画像処理を施した画像データを保存、または一時保存するための記録媒体である。記録媒体１０７は、内蔵のものでも、着脱可能なものでもよい。
【００１８】
１０８は、液晶ディスプレイ等により構成され、カメラ部１０４で撮影されている画像を表示したり、記録媒体１０７に記録されている画像を表示したりする表示部である。また、後述する動作モード毎に必要なさまざまな文字情報等を表示する部分でもある。
【００１９】
１０９は、撮影、ズーム、フォーカス等のカメラ操作や、画像のフォワード／リバース及び選択を行う操作部である。また、メニュー項目の選択、決定等もこの操作部で行う。なお、カメラ操作、画像操作、及びメニュー操作をする手段は、スイッチ、タッチパネル等を用いることができるが、これらに限定されるものではない。
【００２０】
１１０は、カメラ部１０４で撮影を行う撮影モード、記録媒体１０７に記録された画像を再生する再生モード、印刷を行う印刷モード等を選択する動作モード選択部である。動作モード選択部は、ダイヤル、スイッチ等から構成されるが、モードが選択できるものであれば、これらに限定されるものではない。
【００２１】
１１１は、外部デバイスと通信を行うための通信部である。通信部１１１は外部コンピュータから遠隔操作を行うために使用することができる。また、撮影された画像を印刷する際に、画像転送に使用することも可能である。更に、プリンタ制御コマンドの送受信に使用することも可能である。通信方法は有線方式、無線方式等が挙げられるが、特にこれらに限定されるものではない。
【００２２】
なお、上記の各構成の動作は、ＲＯＭ１０２にプリセットされたプログラムに基づいて、ＣＰＵ１０１により制御される。この際、ＣＰＵ１０１は、ＲＡＭ１０３をワークエリア等として利用する。
【００２３】
実線は各ブロックをつなぐバスラインであり、これを介してデータの共有や動作の制御を行う。
【００２４】
破線はカメラ部１０４で撮影された画像データの転送経路である。
【００２５】
上記のデジタルカメラによる画像撮影は、デジタルカメラの電源を投入し、動作モードを撮影モードにして行うことができる。カメラ部１０４で撮影された画像は、画像処理部１０５で圧縮等の処理を施され、記録媒体１０７に記録される。記録された画像は、動作モードを再生モードにすることによって、表示部１０８に表示される。また、操作部１０９を操作することによって、記録媒体１０７から別の画像を呼び出し、表示部１０８に表示する画像の切り替えを行うことができる。同様に、操作部１０９を操作することによって、画像処理部１０５で処理を行い、表示部１０８に表示されている画像の拡大／縮小等を行うことができる。更に、記録された画像の印刷は、動作モードを印刷モードにしてプリンタと接続し、通信部１１１から画像データを転送することによって行うことができる。
【００２６】
次に、図２は、一実施形態のデジタルカメラにおいて、記録媒体内に記録されている画像データから印刷しようとする画像（フレーム）の一覧を表示し、その一覧からユーザが指定したフレームを使用してレーベル印刷を行う動作を示す図である。
【００２７】
まず、ユーザにより、動作モード選択部１１０を用いて、動作モードが印刷モードに切り替えられる。印刷モードになったデジタルカメラは、記録媒体１０７に記録されている動画像データ又は静止画データに対応する小画像を表示部１０８に表示する。このとき動画像データに対応する小画像は、その動画像データの先頭フレームが表示される。ただし、先頭フレームに限るものではなく、動画像データから抽出された画像を縮小したもの、または動画像データに対して別途対応付けした任意の静止画でもよい。更に、印刷モードにされたデジタルカメラとプリンタが接続される。この時、デジタルカメラとプリンタが現在接続中であるということを、表示部１０８に文字、またはアイコン等で表示し、ユーザに知らせる（ステップＳ２０１）。
【００２８】
なお、接続方法はＵＳＢやＩＥＥＥ１３９４のようなケーブルを用いるタイプでもよい。また、無線や赤外線を利用した、ケーブルを用いないタイプでもかまわない。
【００２９】
プリンタと接続確立後、レーベル印刷であればステップＳ２０５へ遷移し、通常の印刷であれば通常印刷モードへ遷移する（ステップＳ２０３）。この時、印刷モードがレーベル印刷か通常印刷かをユーザに知らせるために、表示部１０８に文字、またはアイコン等を表示する。
【００３０】
なお、通常印刷モードに関しては、本発明の本質的な部分ではないので、ここでは説明を省略する。
【００３１】
次に、表示部１０８に表示されている小画像を参照しながら、記録媒体１０７に記録されている動画データあるいは静止画データの中から、ユーザにより印刷させたい画像データが選択される（ステップＳ２０５）。このとき、表示部１０８には、動画データであればその先頭フレームが表示され、静止画であれば、その静止画がそのまま表示されている。そして、ユーザは、これらの動画像の先頭フレームの画像、又は静止画から、印刷させたい画像データを選択する。
【００３２】
印刷させたい動画データ又は静止画データが選択されると、その選択された画像データが動画データであるか静止画データであるかが判断される（ステップＳ２０７）。
【００３３】
選択された画像データが動画データであれば、ステップＳ２１１に進み、その動画データから実際に印刷を行うフレームを抽出するために、フレームを抽出する間隔がユーザによって設定される（ステップＳ２０９）。
【００３４】
なお、上記の抽出間隔は、一覧の中からユーザに選択させるようにしてもよい。また、ユーザに実際に数字を入力させるようにしてもよい。また、上記の画像選択及び抽出間隔設定は、表示部１０８と操作部１０９を使用して行われる。
【００３５】
次に、ステップＳ２１１では、ステップＳ２０５においてユーザにより指定された動画像データのヘッダ情報から総フレーム数を読み出す。読み出した総フレーム数をステップＳ２０９で設定された間隔で均等割りし、該当する部分のフレームを画像処理部１０５が読み出し、ＲＡＭ１０３に抽出フレームとして一時記憶する。全てのフレームの読み出しが終了したら、ステップＳ２１５に進む。
【００３６】
一方、ステップＳ２０７において、選択された画像データが静止画像データであれば、ステップＳ２１３に進み、その静止画像データをＲＡＭ１０３に抽出フレームとして一時記憶する。そして、ステップＳ２１５に進む。
【００３７】
ステップＳ２１５では、ステップＳ２１１又はステップＳ２１３においてＲＡＭ１０３に記憶された抽出フレームを表示部１０８に一覧表示する。
次に、表示部１０８に一覧表示されたフレームから印刷させたいフレームをユーザが選択する。この処理により、特に動画像データから抽出された複数の抽出静止画像から、印刷したい静止画像を選択することができる。フレーム選択後、別の動画像データあるいは静止画像データからもフレームを選択したい場合はステップＳ２０５へ戻り、再度画像の選択を行う。フレーム選択が終了した場合はステップＳ２１９へ遷移する（ステップＳ２１７）。なお、このフレーム選択動作では、選択できる枚数を予め定めておいた枚数を越えないように制限する。
【００３８】
次に、選択されたフレームのレイアウト例を表示部１０８に表示し、その中からユーザが印刷させたいレイアウトを選択する（ステップＳ２１９）。
【００３９】
なお、上記のフレーム選択及びレイアウト選択は、表示部１０８と操作部１０９を使用して行われる。
【００４０】
次に、ステップＳ２１７及びステップＳ２１９で選択されたフレーム及びレイアウトに基づいて、予想印刷結果を表示部１０８に表示する（ステップＳ２２１）。
【００４１】
次に、表示部１０８に表示された予想印刷結果を確認し、最後に日付を挿入するかどうかを選択した後、ユーサが印刷が実行した場合はステップＳ２２５へ遷移する。また、ユーザが再設定を望んだ場合はステップＳ２０５に戻る（ステップＳ２２３）。
【００４２】
次に、現在選択されているレイアウトの印刷データをプリンタへの転送に適合したデータフォーマットに変換し、ＲＡＭ１０３に保存する。そして変換されたデータを通信部１１１からプリンタへ送信する。ただしデータフォーマット変換された画像データは、逐次、通信部１１１から送信してもかまわない（ステップＳ２２５）。
【００４３】
以上のように、デジタルカメラで記録媒体に記録されている動画データのフレームを一定間隔で抽出し、ユーザにフレームとレイアウトを選択させることによって、デジタルカメラに直接接続されたプリンタで動画データのレーベル印刷ができるようになる。また、ユーザは動画の抽出フレームと一緒に静止画を選択することもできるので、動画のワンシーンと静止画が混在した画像群をレーベルに印刷することもできるようになる。それによって、一度パソコンに転送して編集ソフト等で編集する必要が無くなり、複雑な工程とパソコンを用意しなければならないという問題点を解消することができる。
【００４４】
なお、デジタルカメラからプリンタにプリント対象画像の日時情報も送出することで、プリンタは日時情報を画像とともにプリントすることができる。
【００４５】
デジタルカメラのＣＰＵ１０１は、動画像データに付随している日時データの情報も用いて、抽出した静止画像の日時情報を算出する機能を持つ。
【００４６】
このときの算出方法としては、動画像データの撮影開始日時情報から、抽出したフレームまでの経過時間を用いて算出する。もちろんこれに限るものではなく、動画データの全体に渡りタイムコードのような時間情報が記録されている場合、それを用いるような形態でも構わない。
【００４７】
次に、図３乃至図５は画像選択とフレーム抽出設定の表示例を示す図である。
【００４８】
図３において、３０１は画像選択画面の表示例である。３０２は、記録媒体１０７に記録されている動画データの先頭フレーム又は静止画データの画像である。これは表示部１０８に表示されている。３０３は、画像フォワードボタンである。ユーザが次の動画データ又は静止画データを表示させたい場合は、操作部１０９の画像フォワードボタンを押下する。このボタンが押下されると、記録媒体１０７に記録されている画像データのうち、現在表示されている画像データの次に登録されている動画データ又は静止画データが画像処理部１０５によってファイル検索される。そして、該当するファイルが動画データである場合はその動画データの先頭フレームが表示部１０８に表示され、静止画データである場合には、その静止画が表示部１０８に表示される。
【００４９】
３０４は、画像リバースボタンである。ユーザが一つ前の動画データ又は静止画データに戻りたい場合は、操作部１０９の画像リバースボタンを押下する。このボタンが押下されると、記録媒体１０７に記録されている画像データのうち、現在表示されている画像データの一つ前に登録されている動画データ又は静止画データが画像処理部１０５によってファイル検索される。そして、該当するファイルが動画データである場合はその動画データの先頭フレームが表示部１０８に表示され、静止画データである場合には、その静止画が表示部１０８に表示される。
【００５０】
次に、図４において、３０５は動画データを選択した場合の抽出間隔設定画面の表示例である。
【００５１】
３０６は、日付印刷の入／切設定である。３０７は、選択されている動画データからフレームを抽出するための抽出間隔設定である。この設定の入力方法は、ボタンが押される毎に一定値ずつ増える方法でもよいし、直接数字を入力させる方法でもよい。３０８は、フレーム抽出実行ボタンである。このボタンが押下されると、抽出間隔設定３０７で設定されている抽出間隔に基づいて画像処理部１０５が記録媒体１０７内の動画データからフレームを抽出し、抽出フレーム一覧表示画面へ遷移する。３０９は、フレーム抽出キャンセルボタンである。このボタンが押下されると画像選択画面３０１へ戻り、動画データ又は静止画データの変更が可能となる。
【００５２】
なお、抽出間隔設定画面で動画データの変更ができるようにしてもよい。
【００５３】
次に、図５において、３１０は抽出フレーム一覧表示画面の表示例である。３１１は、フレーム抽出実行ボタン３０８押下後、画像処理部１０５によって抽出されたフレーム一覧である。３１２は、ＯＫボタンである。このボタンが押下されると、印刷画像選択に遷移する。３１３は、キャンセルボタンである。このボタンが押下されると、抽出間隔設定画面３０５へ戻り、日付印刷の入／切やフレームの抽出間隔の再設定が可能となる。
【００５４】
次に、図６は印刷画像選択の表示例を示す図である。
【００５５】
図６において、４０１は、画像選択カーソルである。選択したい画像にカーソルを移動させ、選択決定を行う。４０２は、画像選択マークである。ユーザによって選択決定された場合は、このマークが表示される。マークの形は丸だけでなく、アイコンやチェックマーク等も考えられる。４０３は、一覧表示されたフレーム画像である。動画データ又は静止画データから抽出されたフレーム画像である。
【００５６】
４０４は、画面戻しである。４０５は、画面送りである。
【００５７】
上記操作は、ユーザによって、表示部１０８に表示される画面をもとに操作部１０９を使用して行われる。
【００５８】
次に、図７はレーベル印刷のレイアウト例を示す図である。
【００５９】
図７において、５０１は、選択されているフレームが１枚しかない場合で、そのフレームを全面配置したときの例である。５０２は、選択されているフレームが複数ある場合で、全てのフレームを同じ大きさで、等間隔で配置したときの例である。５０３は、選択されているフレームが複数ある場合で、一つのフレームを全面配置し、残りのフレームを等間隔で配置し、日付を挿入したときの例である。５０４は、選択されているフレームが複数ある場合で、一つのフレームを拡大配置し、残りのフレームを等間隔で配置したときの例である。
【００６０】
次に、図８はプリンタの概略構成を示す図である。
【００６１】
図８において、６０４は、印刷に必要な操作等を行う操作部である。なお、操作をする手段は、スイッチ、タッチパネル等が考えられるが、これらに限定されるものではない。
【００６２】
６０５は、データ処理部であり、通信部６０８から受信した画像のデータから印刷用データを作成し印刷部６０６に送る。
【００６３】
６０６は、データ処理部６０５で処理された画像データの印刷を行う印刷部である。
【００６４】
６０７は、印刷中の画像の表示や、各種メニューの表示を行う表示部である。
【００６５】
６０８は、外部デバイスと通信が行える通信部である。これは外部コンピュータから遠隔操作を行うために使用することができる。また、印刷画像データの受信に使用することも可能である。
【００６６】
なお、上記の各構成の動作は、ＲＯＭ６０２にプリセットされたプログラムに基づいて、ＣＰＵ６０１により制御される。この際、ＣＰＵ６０１は、ＲＡＭ６０３をワークエリア等として利用する。
【００６７】
実線は各ブロックをつなぐバスラインであり、これを介してデータの共有や動作の制御を行う。破線は画像データの転送経路である。
【００６８】
次に、図９は、本実施形態のデジタルカメラで、各種設定を行わず記憶されている設定で印刷を行う際のデジタルカメラの動作を示すフローチャートである。
【００６９】
まず、ユーザによって、現在ＲＡＭ１０３に記憶されている設定での印刷が選択される。この選択は、ユーザに表示部１０８に表示されたメニュー内から選択させてもよいし、操作部１０９に前回の設定で印刷するための専用ボタンを用意し、これを使用させてもよい。ここで、記憶されている設定での印刷が選択されなかった場合は、各種設定へ遷移する（ステップＳ７０１）。
【００７０】
また、印刷される画像データは、記憶されている設定での印刷選択時に、表示部１０８に表示されているデータであるのがよいと考えられる。
【００７１】
次に、ＲＡＭ１０３に記憶されている「抽出間隔」「レイアウト」等を読み出す（ステップＳ７０２）。
【００７２】
次に、選択されている画像と、読み出した設定から、予想印刷結果を表示部１０８に表示する（ステップＳ７０３）。
【００７３】
次に、印刷データをプリンタへの転送に適合したデータフォーマットに変換し、ＲＡＭ１０３に保存する。そして変換されたデータを通信部１１１からプリンタへ送信する。ただしデータフォーマット変換された画像データは、逐次、通信部１１１から送信してもかまわない（ステップＳ７０４）。
【００７４】
次に、図８は、デジタルカメラの表示部１０８による印刷中の表示例を示す図である。
【００７５】
８０１は、予想印刷結果である。これはユーザによって選択された、若しくはＲＡＭ１０３より読み出された設定によって作成された予想印刷結果である。
【００７６】
８０２は、選択されている印刷設定である。これはユーザによって選択された、若しくはＲＡＭ１０３より読み出された設定である。
【００７７】
８０３は、印刷の進行状況を示すグラフである。これは棒グラフや％表示で示してもよいし、文字と棒グラフを併用するのでもよい。更に、文字表示を「残＊＊％」としてもよい。
【００７８】
８０４は、印刷キャンセルボタンである。ユーザは操作部１０９を使用してこのボタンを押下することによって、印刷の中止を行うことができる。
【００７９】
なお、上記表示は表示部１０８に表示される。
【００８０】
次に図９は、本実施形態のデジタルカメラで、動画データあるいは静止画データから印刷させたいフレームをユーザが手動で抽出する際のデジタルカメラの動作を示す図である。この動作は、図２におけるステップＳ２０５〜ステップＳ２１７の動作を手動で行うものである。
【００８１】
まず、記録媒体１０７に記録されている動画データあるいは静止画データの中から、ユーザにより印刷させたい画像データが選択される（ステップＳ９０１）。このとき、表示部１０８には、動画データであればその先頭フレームが表示され、静止画であれば、その静止画がそのまま表示される。そして、ユーザは、これらの動画像の先頭フレームの画像、又は静止画から、印刷させたい画像データを選択する。なお、選択決定、画像データの切り替えは、操作部１０９を使って行う。
【００８２】
印刷させたい動画データ又は静止画データが選択されると、その選択された画像データが動画データであるか静止画データであるかが判断される（ステップＳ９０３）。
【００８３】
選択された画像データが動画データであれば、ステップＳ９０５に進み、表示部１０８に表示されている動画データを「再生」し、印刷させたいシーンで「停止」させる。停止したシーンで選択決定を行うとフレームが抽出される。選択されたフレームは、ＲＡＭ１０３に抽出フレームとして一時記憶する。
【００８４】
なお、動画データの「再生」の代わりに「早送り」、「巻き戻し」をさせてもよい。また、再生、停止、早送り、巻き戻し、選択決定は、操作部１０９を使って行う。
【００８５】
次に、ステップＳ９０７では、フレームの抽出がすべて終了したらステップＳ９１１にすすむ。まだ抽出を続ける場合は、ステップＳ９０５に戻る。
【００８６】
一方、ステップＳ９０３において、選択された画像データが静止画像データであれば、ステップＳ９０９に進み、その静止画像データをＲＡＭ１０３に抽出フレームとして一時記憶する。そして、ステップＳ９１１に進む。
【００８７】
ステップＳ９１１では、ステップＳ９０５又はステップＳ９０９においてＲＡＭ１０３に記憶された抽出フレームを表示部１０８に一覧表示する。
【００８８】
次に、ステップＳ９１３では、表示部１０８に一覧表示されたフレームから印刷させたいフレームをユーザが選択する。フレーム選択後、別の動画像データあるいは静止画像データからもフレームを選択したい場合はステップＳ９０１へ戻り、再度画像の選択を行う。フレーム選択が終了した場合は処理を終了する。なお、このフレーム選択動作では、選択できる枚数を予め定めておいた枚数を越えないように制限する。
【００８９】
以上説明したように、上記の実施形態によれば、記録媒体に記録されている動画データから一定間隔で静止画を抽出し、その一覧からユーザが指定した画像を画像再生装置に直接接続されたプリンタへ転送し印刷することができる。これにより、動画データを使用したレーベル印刷が可能となる。
【００９０】
更に、動画データからの静止画の抽出間隔をユーザが自由に設定可能とすることにより、ユーザによる静止画選択作業を簡略化することが可能となる。
【００９１】
更に、動画データからの静止画の抽出を、ユーザの希望する個所から自由に行えるようにすることにより、自由度の高いレーベル印刷が可能となる。
【００９２】
更に、静止画だけでなく日時も印刷することによって、レーベル印刷に使用した動画データの判別が容易となり、ユーザが複数の保存ディスクから自分の希望する物を探し出すことが容易となる。
【００９３】
更に、印刷しようとする静止画の配置をユーザが複数の種類から選択可能とすることにより、類似しがちなレーベル印刷にバリエーションをもたせることが可能となる。
【００９４】
更に、コンピュータ上での編集作業等が不要となり、印刷作業の簡略化がはかられる。  更に、安価な装置でのレーベル印刷が可能である。
【００９５】
更に、動画特有の画像選択を、静止画選択と同じような操作感で簡単に実現することができる。特に本実施形態のような抽出方法は、１動画から多くの画像を抽出しようとする場合に、１枚ずつ再生及び抽出作業を繰り返す面倒を低減出来る。
【００９６】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００９７】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００９８】
本発明を上記記憶媒体に適用する場合、その記憶媒体には、先に説明した手順に対応するプログラムコードが格納されることになる。
【図面の簡単な説明】
【００９９】
【図１】本発明の一実施形態に係わるデジタルカメラの概略構成を示すブロック図である。
【図２】一実施形態のデジタルカメラにおいて、記録媒体内に記録されている画像データから印刷しようとする画像（フレーム）の一覧を表示し、その一覧からユーザが指定したフレームを使用してレーベル印刷を行う動作を示す図である。
【図３】画像選択とフレーム抽出の表示例を示す図である。
【図４】画像選択とフレーム抽出の表示例を示す図である。
【図５】画像選択とフレーム抽出の表示例を示す図である。
【図６】印刷画像選択の表示例を示す図である。
【図７】レーベル印刷のレイアウト例を示す図である。
【図８】プリンタの概略構成を示すブロック図である。
【図９】記憶されている設定で印刷を行う際の処理を示すフローチャートである。
【図１０】印刷中の表示例を示す図である。
【図１１】手動でフレームの抽出を行う場合のフローチャートである。
【符号の説明】
【０１００】
１０１  ＣＰＵ
１０２  ＲＯＭ
１０３  ＲＡＭ
１０４  カメラ部
１０５  画像処理部
１０６  表示制御部
１０７  記録媒体
１０８  表示部
１０９  操作部
１１０  動作モード選択部
１１１  通信部
３０１  画像選択画面の表示例
３０２  動画データの先頭フレーム
３０３  画像フォワードボタン
３０４  画像リバースボタン
３０５  抽出間隔設定画面の表示例
３０６  日付印刷の入／切設定
３０７  フレーム抽出間隔設定
３０８  フレーム抽出実行ボタン
３０９  フレーム抽出キャンセルボタン
３１０  抽出フレーム一覧表示画面の表示例
３１１  抽出フレーム一覧
３１２  ＯＫボタン
３１３  キャンセルボタン
４０１  画像選択カーソル
４０２  画像選択マーク
４０３  フレーム
４０４  画像戻し
４０５  画像送り
６０１  ＣＰＵ
６０２  ＲＯＭ
６０３  ＲＡＭ
６０４  操作部
６０５  データ処理部
６０６  印刷部
６０７  表示部
６０８  通信部
８０１  予想印刷結果
８０２  選択されている設定
８０３  印刷の進行状況を示すグラフ
８０４  印刷キャンセル
【図１】
2007329684.tif 000003
【図２】
2007329684.tif 000004
【図３】
2007329684.tif 000005
【図４】
2007329684.tif 000006
【図５】
2007329684.tif 000007
【図６】
2007329684.tif 000008
【図７】
2007329684.tif 000009
【図８】
2007329684.tif 000010
【図９】
2007329684.tif 000011
【図１０】
2007329684.tif 000012
【図１１】
2007329684.tif 000013